Podtech/llm-jp-corpus-v4-ja_patent huggingface dataset:
【手続補正書】
【提出日】平成18年12月15日(2006.12.15)
【手続補正１】
【補正対象書類名】特許請求の範囲
【補正対象項目名】全文
【補正方法】変更
【補正の内容】
【特許請求の範囲】
【請求項１】
走行機体の後部に装着され、該走行機体の幅方向に回転動自在に支持されて放射状に延びる耕耘爪を複数有した耕耘ロータと、前記耕耘ロータの回転軌跡よりも上方に所定の隙間を有して配設されて前後方向に延びて前記耕耘ロータを覆うカバー部とを備え、前記走行機体の前進動にともなって前進走行しながら前記耕耘ロータが回転動して代掻き作業を行なう代掻作業機において、
前記カバー部の下面には、前記隙間内を流れて吐出する水の流れを制御する水流方向制御装置が設けられていることを特徴とする代掻作業機。
【請求項２】
前記耕耘ロータの軸方向の両端部に、前記隙間内を流れて吐出する水が前記耕耘ロータの軸方向外側に流出するのを規制する水流出規制板が配設されていることを特徴とする請求項１に記載の代掻作業機。
【請求項３】
走行機体の後部に装着され、該走行機体の幅方向に回転動自在に支持されて放射状に延びる耕耘爪を複数有した耕耘ロータと、前記耕耘ロータの回転軌跡よりも上方に所定の隙間を有して配設されて前後方向に延びて前記耕耘ロータを覆うカバー部とを備え、前記走行機体の前進動にともなって前進走行しながら前記耕耘ロータが回転動して代掻き作業を行なう代掻作業機において、
前記耕耘ロータの軸方向の両端部に、前記隙間内を流れて吐出する水が前記耕耘ロータの軸方向外側に流出するのを規制する水流出規制板が配設されていることを特徴とする代掻作業機。
【請求項４】
前記カバー部の前端部は、前記隙間から吐出する水が前記走行機体の後部と前記耕耘ロータとの間の前記圃場上に流出するように、斜め下方に傾斜していることを特徴とする請求項１から３のいずれかに記載の代掻作業機。
【請求項５】
前記水流方向制御装置は、前記隙間から吐出する水の方向の変更が可能であることを特徴とする請求項１又は３に記載の代掻作業機。
【手続補正２】
【補正対象書類名】明細書
【補正対象項目名】０００７
【補正方法】変更
【補正の内容】
【０００７】
請求項２の発明は、請求項１に記載の代掻作業機の発明において、耕耘ロータの軸方向の両端部に、隙間内を流れて吐出する水が耕耘ロータの軸方向外側に流出するのを規制する水流出規制板が配設されることを特徴とする。請求項３の発明は、走行機体の後部に装着され、該走行機体の幅方向に回転動自在に支持されて放射状に延びる耕耘爪を複数有した耕耘ロータと、耕耘ロータの回転軌跡よりも上方に所定の隙間を有して配設されて前後方向に延びて耕耘ロータを覆うカバー部とを備え、走行機体の前進動にともなって前進走行しながら耕耘ロータが回転動して代掻き作業を行なう代掻作業機において、耕耘ロータの軸方向の両端部に、隙間内を流れて吐出する水が耕耘ロータの軸方向外側に流出するのを規制する水流出規制板が配設されていることを特徴とする。
【手続補正３】
【補正対象書類名】明細書
【補正対象項目名】０００８
【補正方法】変更
【補正の内容】
【０００８】
請求項４の発明は、請求項１から３のいずれかに記載の代掻作業機の発明において、カバー部の前端部は、隙間から吐出する水が走行機体の後部と耕耘ロータとの間の圃場上に流出するように、斜め下方に傾斜することを特徴とする。
【手続補正４】
【補正対象書類名】明細書
【補正対象項目名】０００９
【補正方法】変更
【補正の内容】
【０００９】
請求項５の発明は、請求項１又は３に記載の代掻作業機の発明において、水流方向制御装置は、隙間から吐出する水の方向の変更が可能であることを特徴とする。
【手続補正５】
【補正対象書類名】明細書
【補正対象項目名】００１１
【補正方法】変更
【補正の内容】
【００１１】
請求項２記載の代掻作業機によれば、耕耘ロータの軸方向の両端部に、隙間内を流れて吐出する水が耕耘ロータの軸方向外側に流出するのを規制する水流出規制板を設けることで、隙間から吐出した水が耕耘ロータの両端部外側に流出することはなく、隙間から吐出した水によりわらが耕耘ロータの軸方向外側に押し出される事態を確実に防止することができる。請求項３記載の代掻作業機によれば、耕耘ロータの軸方向の両端部に、隙間内を流れて吐出する水が耕耘ロータの軸方向外側に流出するのを規制する水流出規制板を設けることで、隙間から吐出した水が耕耘ロータの両端部外側に流出することはなく、隙間から吐出した水によりわらが耕耘ロータの軸方向外側に押し出される事態を確実に防止することができる。また耕耘ロータの前進により、水流出規制板で囲まれた範囲の泥水が確実に耕耘ロータ側に誘導されることになる。
【手続補正６】
【補正対象書類名】明細書
【補正対象項目名】００１２
【補正方法】変更
【補正の内容】
【００１２】
請求項４記載の代掻作業機によれば、カバー部の前端部を、隙間から吐出する水が走行機体の後部と耕耘ロータとの間の圃場上に流出するように、斜め下方に傾斜させることで、隙間から吐出した水を走行機体と耕耘ロータとの間の圃場上のわらに当てることができる。このため、わらを耕耘ロータの軸方向内側に効果的に移動させることができる。
【手続補正７】
【補正対象書類名】明細書
【補正対象項目名】００１３
【補正方法】変更
【補正の内容】
【００１３】
請求項５記載の代掻作業機によれば、水流方向制御装置は隙間から吐出する水の方向を変更可能にすることで、圃場上のわらの存在状況に応じて隙間から吐出する水の方向を変えることができる。
【手続補正書】
【提出日】平成19年1月19日(2007.1.19)
【手続補正１】
【補正対象書類名】特許請求の範囲
【補正対象項目名】全文
【補正方法】変更
【補正の内容】
【特許請求の範囲】
【請求項１】
組換えヒト血清アルブミンを含有してなる、造血細胞の増幅用組成物。
【請求項２】
造血細胞が造血幹細胞である、請求項１記載の組成物。
【請求項３】
造血幹細胞がＣＤ３４＋／ＣＤ３８−、ＣＤ３４＋／ＤＲ−、ＣＤ３４＋／ＣＤ９０＋、ＣＤ３４＋／ＣＤ１１７＋、ＣＤ３４＋／ＣＤ１２３＋、及びＣＤ３４＋／ＣＤ１３３＋からなる群より選ばれるものである、請求項２記載の組成物。
【請求項４】
造血幹細胞がＣＤ３４＋／ＣＤ３８−／ＤＲ−である、請求項２記載の組成物。
【請求項５】
造血細胞が造血前駆細胞である、請求項１記載の組成物。
【請求項６】
基本培地および組換えヒト血清アルブミンを含有してなる、造血細胞の増幅用無血清培地。
【請求項７】
組換えヒト血清アルブミンを含有してなる無血清培地中で造血細胞を培養することを特徴とする、造血細胞の増幅方法。
【請求項８】
造血細胞が臍帯血由来のものである、請求項７記載の増幅方法。
【請求項９】
造血細胞が造血幹細胞である、請求項７又は８記載の増幅方法。
【請求項１０】
増幅された造血幹細胞がＣＤ３４＋／ＣＤ３８−、ＣＤ３４＋／ＤＲ−、ＣＤ３４＋／ＣＤ９０＋、ＣＤ３４＋／ＣＤ１１７＋、ＣＤ３４＋／ＣＤ１２３＋、及びＣＤ３４＋／ＣＤ１３３＋からなる群より選ばれるものである、請求項９記載の増幅方法。
【請求項１１】
増幅された造血幹細胞がＣＤ３４＋／ＣＤ３８−／ＤＲ−である、請求項９記載の増幅方法。
【請求項１２】
造血細胞が造血前駆細胞である、請求項７又は８記載の増幅方法。
【請求項１３】
請求項７〜１２のいずれか１項記載の方法により得られうる造血細胞培養物。
【手続補正書】
【提出日】平成19年2月6日(2007.2.6)
【手続補正１】
【補正対象書類名】特許請求の範囲
【補正対象項目名】全文
【補正方法】変更
【補正の内容】
【特許請求の範囲】
【請求項１】
クロックを供給するクロック基板を少なくとも２つ以上備えて冗長構成し、それら複数のクロック基板のうちの１つのクロック基板をクロックを出力する運用系に、その他のクロック基板をクロックの出力を遮断する待機系に設定されるクロック基板冗長構成装置において、
上記各クロック基板は、
自クロック基板から発生可能なクロックの定レベル期間に応じて自系切替可能期間信号を生成し、他クロック基板に他系切替可能期間信号として供給すると共に、その自系切替可能期間信号および他クロック基板から供給される他系切替可能期間信号に応じて切替実行信号を生成する切替実行信号生成回路と、
上記切替実行信号生成回路により生成される切替実行信号に応じて自クロック基板からのクロックの出力および遮断を切替える切替制御回路とを備えたことを特徴とするクロック基板冗長構成装置。
【請求項２】
切替実行信号生成回路は、
自系切替可能期間信号および他系切替可能期間信号の論理積に応じて切替実行信号を生成する論理積回路からなることを特徴とする請求項１記載のクロック基板冗長構成装置。
【請求項３】
切替実行信号生成回路は、
自系切替可能期間信号を生成する際に、その自系切替可能期間信号の期間の終わりを、自クロック基板から発生可能なクロックの定レベル期間の終わりよりも、少なくとも自系切替可能期間信号が自クロック基板から生成されてから他クロック基板に供給されるまでの遅延時間前になるように生成することを特徴とする請求項１または請求項２記載のクロック基板冗長構成装置。
【手続補正２】
【補正対象書類名】明細書
【補正対象項目名】０００６
【補正方法】変更
【補正の内容】
【０００６】
この発明に係るクロック基板冗長構成装置は、自クロック基板から発生可能なクロックの定レベル期間に応じて自系切替可能期間信号を生成し、他クロック基板に他系切替可能期間信号として供給すると共に、自系切替可能期間信号および他系切替可能期間信号に応じて切替実行信号を生成する切替実行信号生成回路と、その切替実行信号に応じて自クロック基板からのクロックの出力および遮断を切替える切替制御回路とを備えたものである。
【手続補正３】
【補正対象書類名】明細書
【補正対象項目名】０００７
【補正方法】変更
【補正の内容】
【０００７】
この発明によれば、切替実行信号生成回路は、運用系および待機系のクロック基板から発生可能なクロックの定レベル期間に応じた自系切替可能期間信号および他系切替可能期間信号を利用するものなので、クロック基板から発生されるクロックが高速の場合やクロック基板間にジッタが発生している場合でも、運用系および待機系の切替えの際のグリッヂやパルス抜けの発生を防止することができる効果が得られる。
【手続補正書】
【提出日】平成19年1月24日(2007.1.24)
【手続補正１】
【補正対象書類名】明細書
【補正対象項目名】発明の名称
【補正方法】変更
【補正の内容】
【発明の名称】画像処理方法、画像処理装置、および画像処理プログラム並びに記録媒体
【手続補正２】
【補正対象書類名】明細書
【補正対象項目名】０００３
【補正方法】変更
【補正の内容】
【０００３】
しかし、実際はノイズよりも小さな文字（小数点、文字の一部など）があり、逆に小さな文字よりも大きなノイズは存在する。このような場合は、前述の従来技術では、誤って小さな文字をノイズとして除去したり、小さな文字よりも大きなノイズをノイズではないと判断することもある。そのため、本来除去してはいけない情報（文字、写真、図など）に欠落が起きてしまうことがある。
本発明は、上述した実情を考慮してなされたものであって、ノイズの判定精度は１００％ではないことを前提に、誤った判定に基づいたノイズ除去後の画像に対する修正作業を効率よく行うことが可能な画像処理方法、画像処理装置、および画像処理プログラム並びに記録媒体を提供することを目的とする。
なお、本発明での修正作業とは、ノイズ除去によって、必要な情報（小数点、文字、文字の一部、点線など）が誤ってノイズと判断されて除去されたものを復活（ノイズではない状態に戻すこと）させる、あるいはノイズ判定により、本来ノイズなのにノイズではない情報（文字、点線など）と誤判定されたものを解除（ノイズの状態に変更）する、作業のことである。
【手続補正書】
【提出日】平成18年12月1日(2006.12.1)
【手続補正１】
【補正対象書類名】特許請求の範囲
【補正対象項目名】全文
【補正方法】変更
【補正の内容】
【特許請求の範囲】
【請求項１】
砂除けが、甲被の裏側に配置されて前甲部の開き口を塞ぐように設けられるとともに、バンドが、開き口に架け渡されて一端が甲被に固定され他端が甲被の表側と着脱自在になるように設けられている靴において、砂除けとバンドとが連結具で連結され、バンドの固定端側の甲被とバンドの着脱自在端側の甲被とがゴム弾性部材で連結されてなり、バンドの着脱自在端側の甲被とゴム弾性部材との連結位置は、靴の前後方向において、砂除けと連結具との連結位置に対して、爪先側が靴の足長サイズの６％以内、踵側が靴の足長サイズの１０％以内の位置とされ、ゴム弾性部材は、連結具よりも同一荷重で引っ張ったときの伸びが大きいことを特徴とする着脱容易な靴。
【請求項２】
５００ｇの荷重をかけたときの伸びは、連結具が５％未満、ゴム弾性部材が１０〜１００％とされていることを特徴とする着脱容易な靴。
【請求項３】
ゴム弾性部材は、紐状又は帯状であり、一端がバンドの固定端側の甲被と爪先寄りの位置で連結され、他端がバンドの着脱自在端側の甲被と踵寄りの位置で連結されていることを特徴とする請求項１に記載の着脱容易な靴。
【手続補正２】
【補正対象書類名】明細書
【補正対象項目名】０００５
【補正方法】変更
【補正の内容】
【０００５】
本発明の着脱容易な靴は、砂除けが、甲被の裏側に配置されて前甲部の開き口を塞ぐように設けられるとともに、バンドが、開き口に架け渡されて一端が甲被に固定され他端が甲被の表側と着脱自在になるように設けられている靴において、砂除けとバンドとが連結具で連結され、固定端側の甲被と着脱自在端側の甲被とがゴム弾性部材で連結されてなり、バンドの着脱自在端側の甲被とゴム弾性部材との連結位置は、靴の前後方向において、砂除けと連結具との連結位置に対して、爪先側が靴の足長サイズの６％以内、踵側が靴の足長サイズの１０％以内の位置とされ、ゴム弾性部材は、連結具よりも同一荷重で引っ張ったときの伸びが大きい構成である。なお、固定端側とはバンドが固定される側のことを指し、着脱自在端側とはバンドが着脱自在にされる側を指す。
【手続補正３】
【補正対象書類名】明細書
【補正対象項目名】０００６
【補正方法】変更
【補正の内容】
【０００６】
また、本発明の着脱容易な靴は、同一荷重で引っ張った時に、ゴム弾性部材は連結具より伸びが大きいことが好ましい。さらに、本発明の着脱容易な靴は、ゴム弾性部材が、紐状又は帯状であり、その一端が固定端側の甲被と爪先寄りの位置で連結され、他端が着脱自在端側の甲被と踵寄りの位置で連結されていることが好ましい。またさらに、バンドが、帯状であり、開き口を緊締している時にゴム弾性部材を隠すような広さにしてあることが好ましい。
【手続補正４】
【補正対象書類名】明細書
【補正対象項目名】００１３
【補正方法】変更
【補正の内容】
【００１３】
連結具２は、図２に示すように、一端がバンド５にバンドの裏側で靴の着脱自在端側寄りの位置で連結され、他端が砂除け４に砂除けの表側で靴の着脱自在端側寄りの位置で連結されている。また、両連結位置は、緊締時においてほぼ一致するような位置とされている。この際の連結具の両連結間の長さは足長サイズの７〜２５％である。連結具２の一端を砂除け４へ連結する位置は、靴の前後方向において砂除けの踵側端より足長サイズの１５〜３０％離れている。以上のように連結具２でバンド５と砂除け４とを連結することで、バンドの動きに同期して砂除けが固定端側に良好に引き寄せられて持ち上がる。また、連結具は５００ｇの荷重をかけても伸びが５％未満であるような材料を用いると良い。例えば、織布、編布などからなる紐状体、帯状体、あるいは織紐、編紐が用いられる。
【手続補正書】
【提出日】平成18年12月27日(2006.12.27)
【手続補正１】
【補正対象書類名】特許請求の範囲
【補正対象項目名】全文
【補正方法】変更
【補正の内容】
【特許請求の範囲】
【請求項１】
カプセル化され、生体に面接触される接触面を備えたカプセル本体と、
前記接触面を生体に接触させた状態で前記カプセル本体を生体に係止する係止手段と、
前記カプセル本体の前記接触面以外の位置に配設され、前記カプセル本体が生体に前記接触面で接触されるとともに前記係止手段により係止された状態で、生体の光学像を観察可能な位置に配置された観察手段と、
前記カプセル本体に内蔵され、電力を発生する電力発生装置と、
前記電力発生装置および前記観察手段に接続された状態で前記カプセル本体に内蔵され、前記観察手段により観察した光学像を前記カプセル本体の外部に無線通信可能な通信手段と
を具備することを特徴とするカプセル内視鏡。
【請求項２】
前記電力発生装置は外部からの指令により電力を供給することを特徴とする請求項１に記載のカプセル内視鏡。
【請求項３】
前記観察手段は、
前記電力発生装置に接続された状態で前記カプセル本体に内蔵され、前記電力発生装置から電力が供給されると発光する発光素子と、前記カプセル本体に配設され、前記発光素子からの光を前記カプセル本体の外部に導光して生体を照明する照明レンズとを有する照明光学系と、
前記照明レンズに並設された状態で前記カプセル本体に配設され、前記照明光学系により照明された生体の光学像を前記カプセル本体の内部に導光する対物レンズと、前記電力発生装置および前記通信手段に接続された状態で前記カプセル本体に内蔵され、前記電力発生装置から電力が供給されると前記光学像を撮像可能な撮像素子とを有し、前記撮像素子で撮像した光学像を前記通信手段で生体外に通信して観察する観察光学系と
を具備することを特徴とする請求項１もしくは請求項２に記載のカプセル内視鏡。
【請求項４】
前記接触面は、平坦であることを特徴とする請求項１ないし請求項３のいずれか１に記載のカプセル内視鏡。
【請求項５】
前記係止手段は、生体に係止される爪部を先端部に有する少なくとも１対のアームを備えていることを特徴とする請求項１ないし請求項４のいずれか１に記載のカプセル内視鏡。
【請求項６】
前記アームは、前記カプセル本体が前記係止手段により生体に係止されるときに前記爪部同士が互いに対向するように前記爪部を生体に向かって付勢する弾性部材を基端部に備えていることを特徴とする請求項５に記載のカプセル内視鏡。
【請求項７】
前記係止手段は、前記カプセル本体に設けられ、前記カプセル本体をクリップで生体に固定するクリップ固定部を備えていることを特徴とする請求項１ないし請求項４のいずれか１に記載のカプセル内視鏡。
【請求項８】
前記係止手段は、前記カプセル本体に設けられ、生体吸収性を有する少なくとも１対の糸と、前記糸の前記カプセル本体に対して遠位端に配設された針とを備えていることを特徴とする請求項１ないし請求項４のいずれか１に記載のカプセル内視鏡。
【手続補正２】
【補正対象書類名】明細書
【補正対象項目名】００１４
【補正方法】変更
【補正の内容】
【００１４】
上記課題を解決するために、この発明のカプセル内視鏡は、カプセル本体と係止手段と観察手段と電力発生装置と通信手段とを備えている。カプセル本体は、カプセル化され、生体に面接触される接触面を備えている。係止手段は、前記接触面を生体に接触させた状態で前記カプセル本体を生体に係止する。観察手段は、前記カプセル本体の前記接触面以外の位置に配設され、前記カプセル本体が生体に前記接触面で接触されるとともに前記係止手段により係止された状態で、生体の光学像を観察可能な位置に配置されている。電力発生装置は、前記カプセル本体に内蔵され、電力を発生する。通信手段は、前記電力発生装置および前記観察手段に接続された状態で前記カプセル本体に内蔵され、前記観察手段により観察した光学像を前記カプセル本体の外部に無線通信可能である。
【手続補正書】
【提出日】平成19年1月29日(2007.1.29)
【手続補正１】
【補正対象書類名】特許請求の範囲
【補正対象項目名】全文
【補正方法】変更
【補正の内容】
【特許請求の範囲】
【請求項１】
ボタン本体１１，２１の収納部１１Ａ，２１Ａに挿通される先端部１２Ａと、この先端部１２Ａから連続して形成された筒状部１２Ｂとを備え、前記先端部１２Ａと前記筒状部１２Ｂとの間に肩部１２Ｃが形成され、この肩部１２Ｃは、その外周部が前記筒状部１２Bの外周に対して前記筒状部１２Bの径方向に膨出して形成されることを特徴とするボタン用止め具。
【請求項２】
前記肩部１２Cには角部１２Ｅが形成されることを特徴とする請求項１に記載のボタン用止め具。
【請求項３】
前記角部１２Eは、前記肩部１２Ｃの円周上に連続的又は断続的に形成されていることを特徴とする請求項２に記載のボタン用止め具。
【請求項４】
前記先端部１２Ａは前記肩部１２Ｃから突出する突出部１２Ｅを備えていることを特徴とする請求項１から請求項３のいずれかに記載のボタン用止め具。
【請求項５】
前記先端部１２Ａは、前記ボタン本体１１，２１で押圧された際に没入して側方に膨出可能とされることを特徴とする請求項１から請求項４のいずれかに記載のボタン用止め具。
【手続補正２】
【補正対象書類名】明細書
【補正対象項目名】発明の名称
【補正方法】変更
【補正の内容】
【発明の名称】ボタン用止め具
【手続補正３】
【補正対象書類名】明細書
【補正対象項目名】０００１
【補正方法】変更
【補正の内容】
【０００１】
本発明は、衣服の合わせ目を止めるボタンや、主に飾りとして用いられる飾りボタン等に設けられ、ボタン本体との間で生地を介在させて取り付けるボタン用止め具に関する。
【手続補正４】
【補正対象書類名】明細書
【補正対象項目名】０００８
【補正方法】変更
【補正の内容】
【０００８】
本発明の目的は、多用されている一般形状のボタン本体を用いて生地の厚さや硬さにかかわらず生地に取り付けることができるボタン用止め具を提供することにある。
【手続補正５】
【補正対象書類名】明細書
【補正対象項目名】０００９
【補正方法】変更
【補正の内容】
【０００９】
本発明のボタン用止め具は、ボタン本体の収納部に挿通される先端部と、この先端部から連続して形成された筒状部とを備え、前記先端部と前記筒状部との間に肩部が形成され、この肩部は、その外周部が前記筒状部の外周に対して前記筒状部の径方向に膨出して形成されることを特徴とする。
【手続補正６】
【補正対象書類名】明細書
【補正対象項目名】００１０
【補正方法】変更
【補正の内容】
【００１０】
この発明によれば、ボタン本体とボタン用止め具との間に生地を挟んだ状態で互いに押し付けると、止め具の先端部で生地を押さえながら肩部とボタン本体の収納部の挿通端との間で生地が切断されてボタンが取り付けられる。
そのため、本発明では、止め具の肩部とボタン本体の収納部の挿通端との間で生地を切断する。肩部は、その板厚が従来例で示されるフレアーやエッジに比べて薄くしなくてもよいから、たとえ切断部に大きな力が集中しても、破損するという不都合が無く、その上、調芯性も劣化することがない。そのため、本発明では、厚手の生地でも薄手の生地でも止め具を破損することなく容易に切断することができる。さらに、本発明では、ボタン本体は、収納部が形成される形状であるため、ＦバーやＥバー等と同様の一般形状を採用することで、多用されるボタン本体をそのまま利用することができる。
しかも、前記肩部は、その外周部が前記筒状部より径方向に膨出して形成されているから、肩部の変形がしにくくなり、切断部の破損をより効果的に防止することができる。
【手続補正７】
【補正対象書類名】明細書
【補正対象項目名】００１１
【補正方法】変更
【補正の内容】
【００１１】
本発明では、前記肩部には角部が形成される構成が好ましい。
ここにおいて、前記角部の曲率半径Ｒは、０．５mm以下であり、好ましくは、０．３ｍｍ以下である。
この発明では、肩部に角部が形成されることで、切断のための部位の加工が容易となり、止め具の製造を容易に行うことができる。
【手続補正８】
【補正対象書類名】明細書
【補正対象項目名】００１２
【補正方法】変更
【補正の内容】
【００１２】
また、本発明では、前記角部は、前記肩部の円周上に連続的又は断続的に形成されていることが好ましい。
この発明では、収納部の挿通端に沿って生地も適切かつ容易に切断することができる。
【手続補正９】
【補正対象書類名】明細書
【補正対象項目名】００１４
【補正方法】変更
【補正の内容】
【００１４】
さらに、前記先端部は、前記ボタン本体で押圧された際に没入して側方に膨出可能とされる構成が好ましい。
この発明では、ボタンを取り付けるにあたり、ボタン本体で押圧された先端部は没入されて側方に膨出することで、先端部の側部がボタン本体の収納部の側面を十分に押圧するので、ボタンの取り外し力（セパレーション力）が向上することになる。そのため、ボタン本体が止め具から誤って外れることがなくなる。
さらに、止め具のフランジ部を薄手の生地を押さえ易い板状形状にすれば、板材から加工しても、本発明の切断部である角部１２Ｆさらには突出部１２Ｅを設けることが可能であり、生地の切断を容易に行える。止め具の材料となる板材の板厚は、０．２ｍｍ〜１ｍｍが好ましく、さらには、０．３ｍｍ〜０．６ｍｍが好ましい。
【手続補正書】
【提出日】平成18年12月28日(2006.12.28)
【手続補正１】
【補正対象書類名】明細書
【補正対象項目名】００２３
【補正方法】変更
【補正の内容】
【００２３】
図４に示す実施形態の毛髪保持具１においては、筒状体２の一面シート２３Ａに、４５°の角度で斜行した空隙部２５Ｂが多数個形成されている。空隙部２５Ｂは、図４に示すように、筒状体２を起立させた状態において、３個の空隙部２５Ｂが同じ高さ及び同じ傾きで短手方向に離間して並置しており、その下方に３個の空隙部２５Ｂが、その上部に形成された３個の空隙部２５Ｂとはシート２３Ａの短手方向の幅の略１／６ずれた位置に傾きを９０°異ならせて且つ短手方向に離間して並置している。
このように多数個の空隙部２５Ｂが形成されているため、図４に示す実施形態の毛髪保持具１は、一面シート２３Ａが伸長し易い構造を有しており、図１に示す実施形態の毛髪保持具と同様の効果が得られる。
【手続補正書】
【提出日】平成19年1月23日(2007.1.23)
【手続補正１】
【補正対象書類名】特許請求の範囲
【補正対象項目名】全文
【補正方法】変更
【補正の内容】
【特許請求の範囲】
【請求項１】
撮影領域に静磁場を発生させるための静磁場発生源を収容する収容手段を有して成る静磁場発生手段と、傾斜磁場を発生させるための傾斜磁場発生手段と、がそれぞれ一対となって垂直方向または水平方向に対向して配置された構成を有する磁気共鳴イメージング装置において、
前記収容手段は、剛性向上構造を有し、前記傾斜磁場発生手段が前記収容手段の対向面側に実質的に密接して固定されていることを特徴とする磁気共鳴イメージング装置。
【請求項２】
請求項１に記載の磁気共鳴イメージング装置において、
前記傾斜磁場発生手段の対向面側の面に密接して補強部材が配置され、
前記傾斜磁場発生手段は、前記補強部材から固定部材を貫通させて前記収容手段の対向面側に固定されていることを特徴とする磁気共鳴イメージング装置。  
【請求項３】
請求項１又は２に記載の磁気共鳴イメージング装置において、
前記傾斜磁場発生手段は、前記撮影領域側に前記傾斜磁場を発生させるための主コイルと、
前記静磁場発生源側に該傾斜磁場が漏れるのを低減するシールドコイルと、前記主コイルと前記シールドコイルの間に配置される中間部材と、を有して成り、前記中間部材から固定部材を貫通させて前記収容手段の対向面側に固定されていることを特徴とする磁気共鳴イメージング装置。
【請求項４】
請求項１乃至３のいずれか一項に記載の磁気共鳴イメージング装置において、
前記収容手段は、その反対向面側の壁厚が対向面側の壁厚よりも厚くされていることを特徴とする磁気共鳴イメージング装置。
【請求項５】
請求項１乃至４のいずれか一項に記載の磁気共鳴イメージング装置において、
前記収容手段は、その対向面側と反対向面側とを強固に締結する締結部材が少なくとも一つ配置されていることを特徴とする磁気共鳴イメージング装置。
【請求項６】
請求項１乃至５のいずれか一項に記載の磁気共鳴イメージング装置において、
前記収容手段は、その対向面側と反対向面側とを締結する空孔が少なくとも一つ設けられていることを特徴とする磁気共鳴イメージング装置。
【請求項７】
請求項６に記載の磁気共鳴イメージング装置において、
前記傾斜磁場発生手段が前記収容手段の対向面側に密着されるように、前記空孔内が真空にされることを特徴とする磁気共鳴イメージング装置。
【請求項８】
請求項１乃至７のいずれか一項に記載の磁気共鳴イメージング装置において、
前記収容手段と前記傾斜磁場発生手段との間に非磁性・絶縁部材が配置されていることを特徴とする磁気共鳴イメージング装置。
【請求項９】
請求項８に記載の磁気共鳴イメージング装置において、
前記収容手段と前記非磁性・絶縁部材との間に非磁性・導電部材が配置されていることを特徴とする磁気共鳴イメージング装置。
【手続補正２】
【補正対象書類名】明細書
【補正対象項目名】００１２
【補正方法】変更
【補正の内容】
【００１２】
上記課題を解決するために、本発明は以下のように構成される。即ち、
本発明の第1の実施態様によれば、撮影領域に静磁場を発生させるための静磁場発生源を収容する収容手段を有して成る静磁場発生手段と、傾斜磁場を発生させるための傾斜磁場発生手段と、がそれぞれ一対となって垂直方向または水平方向に対向して配置された構成を有する磁気共鳴イメージング装置において、
前記収容手段は、剛性向上構造を有し、前記傾斜磁場発生手段が前記収容手段の対向面側に実質的に密接して固定されている。
【手続補正３】
【補正対象書類名】明細書
【補正対象項目名】００１３
【補正方法】変更
【補正の内容】
【００１３】
これにより、大きな剛性を有する収容手段に傾斜磁場発生手段を堅固に固定することができるので、傾斜磁場発生手段の振動を低減できる。その結果、収容手段及び収容手段内の静磁場発生源の振動も低減することができるので、騒音を低減できると共に、静磁場の微少変動による画質への影響を低減することができる。
【手続補正４】
【補正対象書類名】明細書
【補正対象項目名】００１４
【補正方法】変更
【補正の内容】
【００１４】
好ましい第2の実施態様によれば、第1の実施態様の磁気共鳴イメージング装置において、前記傾斜磁場発生手段の対向面側の面に密接して補強部材が配置され、前記傾斜磁場発生手段は、前記補強部材から固定部材を貫通させて前記収容手段の対向面側に固定されている。
これにより、傾斜磁場発生手段と収容手段を一体化することができると共に、傾斜磁場発生手段の剛性も向上することができる。その結果、傾斜磁場発生手段の振動・騒音を低減することができる。
【手続補正５】
【補正対象書類名】明細書
【補正対象項目名】００１５
【補正方法】変更
【補正の内容】
【００１５】
また、好ましい第3の実施態様によれば、第1又は第2の実施態様の磁気共鳴イメージング装置において、前記傾斜磁場発生手段は、前記撮影領域側に前記傾斜磁場を発生させるための主コイルと、
前記静磁場発生源側に該傾斜磁場が漏れるのを低減するシールドコイルと、前記主コイルと前記シールドコイルの間に配置される中間部材と、を有して成り、前記中間部材から固定部材を貫通させて前記収容手段の対向面側に固定されている。
これにより、固定部材の長さを短くできるので傾斜磁場発生手段と収容手段の一体化を更に向上することができる。その結果、傾斜磁場発生手段の振動・騒音をさらに低減することができる。
【手続補正６】
【補正対象書類名】明細書
【補正対象項目名】００１６
【補正方法】変更
【補正の内容】
【００１６】
また、好ましい第4の実施態様によれば、第1乃至3のいずれか一つの実施態様の磁気共鳴イメージング装置において、前記収容手段は、その反対向面側の壁厚が対向面側の壁厚よりも厚くされている。好ましくは、更に、その対向面側と反対向面側とを強固に締結する締結部材が少なくとも一つ配置される。
これにより、対向面側は撮影領域を確保するために壁厚を厚くすることが現実的に困難であることによる収容手段の剛性低下を補って収容手段全体の剛性を高めることができる。その結果、収容手段の振動を低減することが出来ると共に、傾斜磁場発生手段の振動・騒音を低減することができる。
【手続補正７】
【補正対象書類名】明細書
【補正対象項目名】００１８
【補正方法】変更
【補正の内容】
【００１８】
また、好ましい第6の実施態様によれば、第5の実施態様の磁気共鳴イメージング装置において、前記傾斜磁場発生手段が前記収容手段の対向面側に密着されるように前記空孔内が真空にされる。
これにより、大気圧により傾斜磁場発生手段を収容手段に密着させることができる。その結果、傾斜磁場発生手段を収容手段に固定する構造を簡素化しつつ、収容手段と傾斜磁場発生手段の一体化を向上することができる。
【手続補正書】
【提出日】平成19年1月18日(2007.1.18)
【手続補正１】
【補正対象書類名】特許請求の範囲
【補正対象項目名】全文
【補正方法】変更
【補正の内容】
【特許請求の範囲】
【請求項１】
図柄を表示可能な表示手段と、
遊技媒体が投入される遊技媒体投入手段と、
役の抽選を行う抽選手段と、
前記抽選手段による抽選結果として成立した役に対応する図柄が前記表示手段に表示された場合に、前記成立した役に応じた所定の遊技価値を遊技者へ付与する遊技機であって、
遊技における複数の付加機能を記憶する記憶手段と、
前記記憶手段に記憶された前記複数の付加機能のうち一つ以上を選択する選択手段と、
前記選択手段により選択された付加機能を実行させる付加機能実行手段と
を備え、
前記付加機能は、前記抽選手段の抽選結果として成立した大役に対応した図柄が前記表示手段に表示されたときに当該成立した大役に応じた所定の遊技価値を遊技者へ付与する遊技を連続して所定回数実行する特別遊技と、前記抽選手段の抽選結果として成立した小役の入賞をアシストする情報を遊技者に告知する特定遊技とを含み、
前記選択手段は、前記付加機能実行手段により実行される付加機能を変更するように指示する制御手段であり、当該制御手段は、選択された前記特別遊技及び前記特定遊技のうち該特定遊技についての指示を遮断することにより当該特定遊技の実行を不可とする
ことを特徴とする遊技機。
【請求項２】
図柄を表示可能な表示手段と、
遊技媒体が投入される遊技媒体投入手段と、
役の抽選を行う抽選手段と、
前記抽選手段による抽選結果として成立した役に対応する図柄が前記表示手段に表示された場合に、前記成立した役に応じた所定の遊技価値を遊技者へ付与する遊技機であって、
遊技における複数の付加機能を記憶する記憶手段と、
前記記憶手段に記憶された前記複数の付加機能のうち一つ以上を選択する選択手段と、
前記選択手段により選択された付加機能を実行させる付加機能実行手段と
を備え、
前記付加機能は、前記抽選手段の抽選結果として成立した大役に対応した図柄が前記表示手段に表示されたときに当該成立した大役に応じた所定の遊技価値を遊技者へ付与する遊技を連続して所定回数実行する特別遊技と、前記抽選手段の抽選結果として成立した小役の入賞をアシストする情報を遊技者に告知する特定遊技と、前記抽選手段の抽選結果として大役が成立したときに当該成立した大役に応じた特別遊技を実行する権利を所定の期間に亘ってストックするストック遊技とを含み、
前記選択手段は、前記付加機能実行手段により実行される付加機能を変更するように指示する制御手段であり、当該制御手段は、選択された前記特別遊技及び前記ストック遊技のうち当該ストック遊技を長期間に亘って実行することにより、当該長期間において前記特別遊技の実行を不可とする制御を行う
ことを特徴とする遊技機。
【手続補正書】
【提出日】平成19年1月18日(2007.1.18)
【手続補正１】
【補正対象書類名】特許請求の範囲
【補正対象項目名】全文
【補正方法】変更
【補正の内容】
【特許請求の範囲】
【請求項１】
図柄を表示可能な表示手段と、
遊技媒体が投入される遊技媒体投入手段と、
役の抽選を行う抽選手段と、
前記抽選手段による抽選結果として成立した役に対応する図柄が前記表示手段に表示された場合に、前記成立した役に応じた所定の遊技価値を遊技者へ付与する遊技機であって、
遊技における複数の付加機能を記憶する記憶手段と、
前記付加機能を選択的に実行させる付加機能実行手段と、
前記付加機能実行手段により実行可能な付加機能毎に複数の段階を設定し、当該設定された複数の段階のうち所望の段階の前記付加機能を手動操作により切り替えることが可能な切替手段とを備えたことを特徴とする遊技機。
【請求項２】
前記切替手段は、前記付加機能のいずれかを選択的に切り替え可能であり、前記付加機能実行手段による前記付加機能の実行確率に応じて複数の段階に切り替えることが可能であるとともに、前記付加機能の実行確率が同一であり且つ実行される付加機能の種類が異なる複数の段階に更に区分けして切り替えることを特徴とする請求項１に記載の遊技機。
【請求項３】
前記記憶手段は、前記付加機能及び前記付加機能の実行確率を対応付けて記憶し、前記切替手段は、前記記憶手段に記憶された前記付加機能及び前記実行確率の対応を前記手動操作の結果に基づいて選択することを特徴とする請求項２に記載の遊技機。
【手続補正書】
【提出日】平成18年12月13日(2006.12.13)
【手続補正１】
【補正対象書類名】特許請求の範囲
【補正対象項目名】請求項７
【補正方法】変更
【補正の内容】
【請求項７】
前記第一変動表示ゲーム表示制御手段は、変動表示開始を指示する第一表示指令信号の受信に基づいて時系列の第一変動表示ゲームの変動表示手順を生成し、
前記第二変動表示ゲーム表示制御手段は、変動表示開始を指示する第二表示指令信号の受信に基づいて時系列の第二変動表示ゲームの変動表示手順を生成し、
前記第三変動表示ゲーム表示制御手段は、前記変動表示開始を指示する第一表示指令信号の受信に基づいて時系列の第三変動表示ゲームの変動表示手順を生成し、
特定の結果態様を導出することとなる第二変動表示ゲームの変動表示開始を指示する第二表示指令信号の受信に基づいて、前記変動表示開始を指示する第一表示指令信号の受信に基づいて生成した時系列の第三変動表示ゲームの変動表示手順を更新することを特徴とする請求項１乃至請求項６のいずれか一つに記載の遊技機。
【手続補正書】
【提出日】平成18年11月21日(2006.11.21)
【手続補正１】
【補正対象書類名】明細書
【補正対象項目名】０００４
【補正方法】変更
【補正の内容】
【０００４】
その上、緊急事態、静脈への接近、及びＣＯ2 研究のような生起する血管に関係する処置に使用できるように患者位置決め台を改良することが必要である。緊急事態には、迅速な治療を必要とする動脈血圧低下又は血管破裂のような、緊急な生命にかかわる事態又は深刻な事態が含まれる。患者の位置決めを適切に且つ容易に行えるようにすることは、医療従事者が緊急事態に対処する治療を行うのに役立つ。静脈への接近は、患者の血管内に液体を導入し又は抜き出すためにカテーテルを挿入することに関する。患者の位置決めを適切に且つ容易に行えるようにすることは、カテーテルの挿入と共に、カテーテルを介しての物質の導入又は抽出を容易にする。ＣＯ2 研究は、患者の血管内に造影剤として二酸化炭素を注入することが関係する。ＣＯ2 は血液が肺を最初に通るときに排出されるが、脳のような身体の特定の領域内で汚染又は毒性を生じる可能性を制限することが望ましい。患者の位置決めを適切に且つ容易に行えるようにすることは、患者のＣＯ2 研究の際にＣＯ2 汚染の機会を低減するのに役立つ。
【特許文献１】米国特許第６３３４７０８号
【手続補正書】
【提出日】平成18年11月21日(2006.11.21)
【手続補正１】
【補正対象書類名】明細書
【補正対象項目名】０００４
【補正方法】変更
【補正の内容】
【０００４】
このような注釈付けの一実施例として、「背骨ラベリング」が既知であり、これは画像形成された人間の背骨の脊髄近くでテキスト注釈を配置する動作である。人間の背骨の画像化では、１次画像は矢状面（体の左側又は右側から見た面）で撮ることができ、１つ又はそれ以上のシリーズの２次画像は軸平面（頭上又は脚の下から見た面）で撮ることができる。２次画像の各シリーズは複数の２次画像を含む。背骨ラベリングは、画像化された背骨の脊髄近くにラベルを配置し、画像を見る人の参照ポイントとして役立たせることを含む。同じラベルはまた、２次画像の各シリーズの脊髄を含む該２次画像上にも配置される。通常このようなラベルは、脳神経外科又は整形外科の手術前、放射線治療計画、インターベンショナルラジオロジー処置のために使用される。
【特許文献１】米国特許第６３５９９６０号
【手続補正書】
【提出日】平成18年11月21日(2006.11.21)
【手続補正１】
【補正対象書類名】明細書
【補正対象項目名】０００２
【補正方法】変更
【補正の内容】
【０００２】
少なくとも１つの公知の「第３世代」ＣＴシステムでは、投影データを、患者の限定された軸線方向被写域内で連続的に收集して、撮像しようとする臓器内の造影剤の取込み及び洗出しを適切に測定する。また、灌流評価のために同時に收集、再構成、及び処理される１６ほどものスライスの投影データは、現行の多数列検出器を用いて得ることができる。公知のＣＴシステムのスキャン速度は、小さいボリュームの臓器内の生体組織の造影剤ダイナミックスをサンプリングするのに適切である。しかしながら、このスキャン速度は、脳のような撮像しようとする臓器全体の造影剤ダイナミックスをサンプリングするのに、ヘリカルスキャンプロトコルが必要であるため、不適切である。
【特許文献１】米国特許第６５４６２７８号
【手続補正書】
【提出日】平成19年3月22日(2007.3.22)
【手続補正１】
【補正対象書類名】明細書
【補正対象項目名】０００３
【補正方法】変更
【補正の内容】
【０００３】
鋏、ペンチ、或いはギロチンで切断すると、鋭い縁の切断端部となる。プロテーゼステントとして使用するコイルワイヤ或いはコイルファイバーの終端部は、移植の際或いは移植した後に体組織を誤って切断したり、突き刺さってしまわないように丸くするのが好ましい。例えば、コイルステントが鋭い端部を有すると、そのステントが挿入された動脈壁或いは他の内腔構造に容易に突き刺さってしまう。外科手術の最初の段階（例えば、Ｘ線撮影による画像化）の前には外科用プロテーゼの最適な寸法が分かっていない場合があり、このような場合は予め多数のプロテーゼを用意するか或いは使用時にプロテーゼの寸法を調節しなければならない。ステント等のコイルプロテーゼは、切断して最適な長さにすることがある。上記したように、従来のカッターでは、切断した縁が鋭く、ステント等のコイルを歪ませてしまうことがある。その後に、例えば研磨などによって鋭い切断縁を丸くする場合、その外科手術に余分な費用、人員、時間、複雑さ、及び装置が必要になり、またコイル構造を損傷させてしまう可能性もある。
【特許文献１】米国特許第３，５８１，４００号
【特許文献２】米国特許第５，９６６，８１５号
【特許文献３】米国特許第６，０６１，９１２号
【特許文献４】国際公開第ＷＯ９６／３９９８３号
【手続補正書】
【提出日】平成18年11月21日(2006.11.21)
【手続補正１】
【補正対象書類名】明細書
【補正対象項目名】０００２
【補正方法】変更
【補正の内容】
【０００２】
例えば腎臓のような多くの身体器官は、従来の身体のサジタル平面、コロナル平面又はアキシャル平面に位置していない。かかる器官は、コロナル・ビューとサジタル・ビューとの間の角度で最も良好に観察される。トモシンセシスは、放射線医が関心のある器官の個々の平面を観察することを可能にして、従来の手法を制限している場合がある重畳構造の問題点を小さくする可能性を持つ一手法である。限定されたビュー集合に対して公知のＸ線システムで実行されるトモシンセシスによって、深さの感覚を伴った対象の立体ビューを放射線医に提供することができる。
【特許文献１】米国特許第６５６０３１５号
【手続補正書】
【提出日】平成18年11月21日(2006.11.21)
【手続補正１】
【補正対象書類名】明細書
【補正対象項目名】０００２
【補正方法】変更
【補正の内容】
【０００２】
走査速度の高速化、多数の検出器横列（row）による撮像範囲の拡張及びスライス幅の細密化等の計算機式断層写真法（ＣＴ）技術の近年の発展にも拘わらず、エネルギ分解は依然として実現されていない。すなわち、Ｘ線源からのＸ線フォトン・エネルギ・スペクトルは幅広く、ＣＴ検出システムによるエネルギ分解が欠如しているので、エネルギ識別型ＣＴの発展が妨げられている。
【特許文献１】米国特許第６５６０３１５号
【手続補正書】
【提出日】平成18年11月24日(2006.11.24)
【手続補正１】
【補正対象書類名】特許請求の範囲
【補正対象項目名】全文
【補正方法】変更
【補正の内容】
【特許請求の範囲】
【請求項１】
液体分配システムであって、
それぞれが液体流出ポートを有し、液体材料をそれぞれの前記液体流出ポートを通して個別に選択的に供給するように構成された複数の液体分配モジュールと、
前記複数の液体分配モジュールにそれぞれ対応して設けられ、それぞれの前記液体流出ポートを通る液体材料の流れを制御する複数の流量調整装置と、
前記複数の液体分配モジュールの少なくとも二つに動作可能なように連結されたダイス型とを備え、
前記ダイス型は、複数の液体吐出口を有しており、
前記液体吐出口のそれぞれは、前記液体流出ポートと流体連通しており、それによって、前記液体吐出口からの液体材料の流れは、それぞれの前記液体分配モジュール及びそれに対応する流量調整装置により選択的に個別的に制御されることを特徴とする液体分配システム。
【請求項２】
前記複数の流量調整装置は、容積式ポンプを備えていることを特徴とする請求項１に記載の液体分配システム。
【請求項３】
前記複数の流量調整装置は、空気圧源を備えていることを特徴とする請求項１に記載の液体分配システム。
【請求項４】
前記ダイス型は、複数の液体フィラメントを分配するように構成されていることを特徴とする請求項１に記載の液体分配システム。
【請求項５】
前記ダイス型は、複数の液体材料リボンを分配するように構成されていることを特徴とする請求項１に記載の液体分配システム。
【請求項６】
前記ダイス型に連結されるアダプタをさらに備え、前記アダプタは、前記複数の液体分配モジュールから液体材料を第１の間隔構成で受け取り、第２の間隔構成で吐出するための前記ダイス型へ該液体材料を導くように構成された複数の液体通路を有することを特徴とする請求項１に記載の液体分配システム。
【請求項７】
前記複数の液体吐出口の少なくとも一つに近接して設けられた少なくとも一つの空気吐出口をさらに備えていることを特徴とする請求項１に記載の液体分配システム。
【請求項８】
複数の液体分配モジュールと該複数の液体分配モジュールに動作可能なように連結されたダイス型とを備え、該ダイス型が複数の液体吐出口を有する塗布器から、少なくとも１つの基材へ、液体材料を分配する方法であって、
該複数の液体分配モジュールのそれぞれから該ダイス型の対応する該液体吐出口へ該液体材料を選択的に供給する工程と、
該複数の液体分配モジュールのそれぞれから対応する該液体吐出口へ供給される該液体材料の流れを個別に制御する工程と、
該液体材料を該液体吐出口のそれぞれに押し通す工程とを含むことを特徴とする方法。
【請求項９】
前記液体材料を押し通す工程は、それぞれの容積式ポンプを使用して、該液体材料を圧送してぞれぞれの該液体吐出口を通す工程を含むことを特徴とする請求項８に記載の方法。
【請求項１０】
前記液体材料を押し通す工程は、圧縮空気を使用して、該液体材料を該液体吐出口のそれぞれに押し通す工程を含むことを特徴とする請求項８に記載の方法。
【請求項１１】
該基材は、複数の撚糸からなり、
前記方法は、該液体材料を該複数の液体吐出口から該撚糸上に分配する工程をさらに含むことを特徴とする請求項８に記載の方法。
【請求項１２】
該塗布器は、該複数の液体吐出口に対応して複数の空気吐出口をさらに備えており、
前記方法は、該空気吐出口からの空気を該液体吐出口から吐出されている液体材料へ推し進める工程をさらに含むことを特徴とする請求項８に記載の方法。
【手続補正書】
【提出日】平成18年10月4日(2006.10.4)
【手続補正１】
【補正対象書類名】明細書
【補正対象項目名】特許請求の範囲
【補正方法】変更
【補正の内容】
【特許請求の範囲】
【請求項１】
データを記憶する補助記憶装置と当該補助記憶装置に対してアクセス要求を出すホスト装置との間に設けられ、当該補助記憶装置を制御するコントローラ装置であって、前記ホスト装置から要求された過去のアクセス要求を記憶するアクセス要求記憶手段と、前記アクセス要求記憶手段により記憶された過去のアクセス要求に基づいて、その後にアクセス要求されると予想されるデータの先読み要求を前記補助記憶装置に対して出力する先読み要求出力手段と、前記先読み要求出力手段により出力した前記先読み要求の中から特定の先読み要求をキャンセルするためのキャンセル信号を前記補助記憶装置に対して出力するキャンセル信号出力手段と、を備えたことを特徴とするコントローラ装置。 
【請求項２】
前記先読み要求出力手段により出力されるデータの先読み要求は、直ぐにその場で実行されるノン・キュー要求または前記補助記憶装置に一旦は待ち行列の形で保持されるタグ・キュー要求であることを特徴とする請求項１記載のコントローラ装置。 
【請求項３】
前記キャンセル信号出力手段から出力されるキャンセル信号は、前記タグ・キュー要求に対してはキャンセルしたいタグ番号が指定されたキャンセル信号であることを特徴とする請求項２記載のコントローラ装置。 
【請求項４】
データを記憶すると共にキャッシュメモリを有するディスク状記憶装置に接続され、当該ディスク状記憶装置を制御するディスクコントローラであって、ホストにて実行されるアプリケーションプログラムから前記ディスク状記憶装置に対してなされる真のアクセス要求を、当該アプリケーションプログラムから直接トレースするアクセス要求トレース部と、前記アクセス要求トレース部によりトレースされた真のアクセス要求に基づいて今後予想される投機的要求を決定する投機的要求決定部と、前記投機的要求決定部により決定された投機的要求を前 
記ディスク状記憶装置に対して発行するアクセス要求発行部と、を含むことを特徴とするディスクコントローラ。 
【請求項５】
前記アクセス要求発行部から発行された投機的要求の中からキャンセルすべき特定の投機的要求を決定するキャンセル要求決定部と、前記キャンセル要求決定部により決定された特定の投機的要求に対し、前記ディスク状記憶装置に対してキャンセル指示を発行するキャンセル指示発行部とを更に備えたことを特徴とする請求項４記載のディスクコントローラ。 
【請求項６】
前記アクセス要求発行部から発行される投機的要求は、前記ディスク状記憶装置の媒体から直ぐにデータ読み出しを実行する要求であり、前記キャンセル指示発行部より発行されるキャンセル指示は、実行中の前記要求を中断させる指示であることを特徴とする請求項５記載のディスクコントローラ。 
【請求項７】
前記アクセス要求発行部から発行される投機的要求は、タグ番号を指定して前記ディスク状記憶装置の内部に待ち行列として保持されるコマンドの要求であり、前記キャンセル指示発行部より発行されるキャンセル指示は、前記待ち行列中の要求の中から特定のタグ番号に該当する要求をキャンセルする指示であることを特徴とする請求項５記載のディスクコントローラ。 
【請求項８】
データを記憶する記憶媒体と、予測される読み出し要求が実行され、前記記憶媒体からデータを読み出して一時的に蓄積するキャッシュメモリと、タグ番号の情報を含む前記キャッシュメモリへの予測読み出し要求を外部コントローラ側から受信するインターフェイスと、前記インターフェイスにより受信した予測読み出し要求に対し、前記タグ番号により当該要求が識別された待ち行列の状態にて、要求実行前の複数の要求を保持するコントローラとを備え、前記インターフェイスは、要求の実行をキャンセルすべき特定タグ番号を指定したキャンセル信号を前記外部コントローラから受信し、前記コントローラは、前記キャンセル信号を解析すると共に、指定された前記特定タグ番号に対応する要求を待ち行列から削除することを特徴とする補助記憶装置。 
【請求項９】
前記インターフェイスは、実行中の要求がキャンセルされた場合に実行中のデータのどこまでが有効データかを前記外部コントローラ側に対して送信することを特徴とする請求項８記載の補助記憶装置。 
【請求項１０】
アプリケーションプログラムを実行するホストと、キャッシュメモリおよび内部コントローラを有すると共に、前記ホストからのアクセス要求に基づいてデータをリード・ライトする外部記憶装置と、 
前記外部記憶装置を制御するコントローラとを備え、前記コントローラは、前記ホストから出力された前記アクセス要求に基づいてその後にアクセス要求されると予想されるデータの先読み要求を前記外部記憶装置に対して出力すると共に、当該先読み要求をキャンセルするためのキャンセル信号を前記外部記憶装置に対して出力することを特徴とするコンピュータ装置。 
【請求項１１】
前記先読み要求は前記外部記憶装置の記憶媒体から前記キャッシュメモリに対して直ぐにデータ読み出しを実行する要求であり、前記キャンセル信号は当該要求により実行中のコマンドを中断させる信号であることを特徴とする請求項１０記載のコンピュータ装置。 
【請求項１２】
前記外部記憶装置は、前記コントローラから出力された前記キャンセル信号を解析して先読み要求をキャンセルすると共に、前記キャッシュメモリに書き込まれたデータのどこまでが有効データかを示す最終有効データの情報を前記コントローラに対して出力することを特徴とする請求項１０記載のコンピュータ装置。 
【請求項１３】
アプリケーションからのコマンド発行を受け取るステップと、前記アプリケーションから受けたコマンドの流れを解析するステップと、解析された前記コマンドの流れに基づいて、先行して読み出すべきデータを指示する投機コマンドが必要か否かを判断するステップと、投機コマンドが必要と判断された場合には、補助記憶装置に対して前記投機コマンドを発行するステップと、それまでに発行した投機コマンドを検証するステップと、検証結果によって不要な発行済み投機コマンドが存在すると判断される場合には、前記補助記憶装置に対してキャンセルコマンドを発行するステップと、を含むことを特徴とする補助記憶装置の制御方法。 
【請求項１４】
前記投機コマンドは、前記補助記憶装置の媒体から直ぐにデータ読み出しを実行すべき要求を含むものであり、前記キャンセルコマンドは、前記投機コマンドを実行中に当該投機コマンドを中断させることを特徴とする請求項１３記載の補助記憶装置の制御方法。 
【請求項１５】
前記投機コマンドは、前記補助記憶装置の内部に待ち行列として保持される要求を含むものであり、 
前記キャンセルコマンドは、前記投機コマンドにより保持された待ち行列中のコマンドの中から特定のコマンドを選定して当該待ち行列から削除することを特徴とする請求項１３記載の補助記憶装置の制御方法。 
【請求項１６】
前記補助記憶装置からキャンセル処理終了後の最終有効データの情報を受信するステップと、を更に具備したことを特徴とする請求項１３記載の補助記憶装置の制御方法。